(57)【特許請求の範囲】
【請求項１】
ネットワークを通じて通信可能なテレビ受像機及びサーバを備える情報送信システムであって、
前記テレビ受像機は、
テレビ番組の関連コンテンツへのアクセス情報を含むメッセージを含むデータ放送を受信する受信手段と、
視聴者を特定する視聴者ＩＤの入力を受け取る視聴者ＩＤ入力手段と、
前記視聴者ＩＤ入力手段により入力された視聴者ＩＤを前記サーバへ送信し、当該視聴者ＩＤに対応付けて前記サーバにより付与された携帯端末ＩＤを取得する携帯端末ＩＤ取得手段と、
前記サーバにより付与されたテレビ受像機ＩＤと、前記視聴者ＩＤと、前記携帯端末ＩＤとを対応付けてテレビ受像機内の記憶部に記憶する記憶手段と、
視聴者による要求操作に応じて、前記受信手段が受信したデータ放送に含まれるメッセージと、テレビ受像機ＩＤ、前記要求操作を行った視聴者に対応する視聴者ＩＤ及び携帯端末ＩＤのうちの少なくとも１つのＩＤとを含むメッセージ送信要求を前記サーバへ送信する送信要求手段と、を備え、
前記サーバは、
視聴者の携帯端末から視聴者ＩＤを受信し、当該視聴者ＩＤに対応付けて携帯端末ＩＤを付与する携帯端末ＩＤ付与手段と、
前記テレビ受像機から視聴者ＩＤを受信し、当該視聴者ＩＤに対応付けてテレビ受像機ＩＤを付与するテレビ受像機ＩＤ付与手段と、
視聴者ＩＤと、当該視聴者ＩＤに対応付けて付与された携帯端末ＩＤ及びテレビ受像機ＩＤとを記憶するデータベースと、
テレビ受像機から視聴者ＩＤを受信し、前記データベースを参照して、当該視聴者ＩＤに対応する携帯端末ＩＤをテレビ受像機に送信する携帯端末ＩＤ送信手段と、
テレビ受像機から前記メッセージ送信要求を受信し、当該メッセージ送信要求に含まれるメッセージを、当該メッセージ送信要求に含まれる前記少なくとも１つのＩＤに対応する携帯端末へ送信するメッセージ送信手段と、を備えることを特徴とする情報送信システム。
【請求項２】
前記サーバは、前記メッセージ送信手段がメッセージの送信を完了したことを示す完了通知を、メッセージ送信要求を行ったテレビ受像機へ送信する完了通知送信手段をさらに備えることを特徴とする請求項１に記載の情報送信システム。
【請求項３】
前記送信要求手段は、前記テレビ受像機内の記憶部に複数の視聴者についての視聴者ＩＤ及び携帯端末ＩＤが記憶されている場合、メッセージを送信すべき視聴者の選択入力を視聴者に要求し、選択された視聴者についてメッセージ送信要求を行うことを特徴とする請求項１に記載の情報送信システム。
【請求項４】
コンピュータと記憶部とを備え、ネットワークを通じてサーバと通信可能なテレビ受像機によって実行されるプログラムであって、
テレビ番組の関連コンテンツへのアクセス情報を含むメッセージを含むデータ放送を受信する受信手段、
視聴者を特定する視聴者ＩＤの入力を受け取る視聴者ＩＤ入力手段、
前記視聴者ＩＤ入力手段により入力された視聴者ＩＤを前記サーバへ送信し、当該視聴者ＩＤに対応付けて前記サーバにより付与された携帯端末ＩＤを取得する携帯端末ＩＤ取得手段、
前記サーバにより付与されたテレビ受像機ＩＤと、前記視聴者ＩＤと、前記携帯端末ＩＤとを対応付けて前記記憶部に記憶する記憶手段、
視聴者による要求操作に応じて、前記受信手段が受信したデータ放送に含まれるメッセージと、テレビ受像機ＩＤ、前記要求操作を行った視聴者に対応する視聴者ＩＤ及び携帯端末ＩＤのうちの少なくとも１つのＩＤとを含むメッセージ送信要求を前記サーバへ送信する送信要求手段、として前記コンピュータを機能させることを特徴とするプログラム。
【請求項５】
ネットワークを通じてテレビ受像機と通信可能なサーバであって、
視聴者の携帯端末から視聴者ＩＤを受信し、当該視聴者ＩＤに対応付けて携帯端末ＩＤを付与する携帯端末ＩＤ付与手段と、
前記テレビ受像機から視聴者ＩＤを受信し、当該視聴者ＩＤに対応付けてテレビ受像機ＩＤを付与するテレビ受像機ＩＤ付与手段と、
視聴者ＩＤと、当該視聴者ＩＤに対応付けて付与された携帯端末ＩＤ及びテレビ受像機ＩＤとを記憶するデータベースと、
テレビ番組の関連コンテンツへのアクセス情報を含むメッセージと、テレビ受像機ＩＤ、視聴者に対応する視聴者ＩＤ及び携帯端末ＩＤのうちの少なくとも１つのＩＤとを含むメッセージ送信要求をテレビ受像機から受信し、当該メッセージ送信要求に含まれるメッセージを、当該メッセージ送信要求に含まれる前記少なくとも１つのＩＤに対応する携帯端末へ送信するメッセージ送信手段と、を備えることを特徴とするサーバ。
【請求項６】
データベースとコンピュータとを備え、ネットワークを通じてテレビ受像機と通信可能なサーバによって実行されるプログラムであって、
視聴者の携帯端末から視聴者ＩＤを受信し、当該視聴者ＩＤに対応付けて携帯端末ＩＤを付与する携帯端末ＩＤ付与手段、
前記テレビ受像機から視聴者ＩＤを受信し、当該視聴者ＩＤに対応付けてテレビ受像機ＩＤを付与するテレビ受像機ＩＤ付与手段、
視聴者ＩＤと、当該視聴者ＩＤに対応付けて付与された携帯端末ＩＤ及びテレビ受像機ＩＤとを前記データベースに記憶する記憶手段、
テレビ番組の関連コンテンツへのアクセス情報を含むメッセージと、テレビ受像機ＩＤ、視聴者に対応する視聴者ＩＤ及び携帯端末ＩＤのうちの少なくとも１つのＩＤとを含むメッセージ送信要求をテレビ受像機から受信し、当該メッセージ送信要求に含まれるメッセージを、当該メッセージ送信要求に含まれる前記少なくとも１つのＩＤに対応する携帯端末へ送信するメッセージ送信手段、として前記コンピュータを機能させることを特徴とするプログラム。
【発明の詳細な説明】
【技術分野】
【０００１】
本発明は、ネットワークを利用して、データ放送に含まれる情報を視聴者の携帯端末へ送信する手法に関する。
【背景技術】
【０００２】
従来から、テレビ受像機にＷｅｂサイトＵＲＬやＱＲコード（登録商標）を表示し、視聴者がそれらの情報を携帯端末に直接入力して関連する情報やアプリケーションなどを取得することが行われている。例えば、特許文献１は、視聴者ダウンロード用のコンテンツデータをサーバに記憶させておき、番組放送中にコンテンツデータリストをテレビ画面に表示し、それに含まれるアクセス情報に基づいてサーバにアクセスした携帯端末にコンテンツデータを送信する手法を記載している。また、特許文献２は、視聴者がデータ放送において表示されるＵＲＬ情報に基づいてコンテンツサーバからコンテンツを取得する場合に、テレビ画面に表示される画像信号を画像認識してＵＲＬ情報を抽出することにより、視聴者が自らＵＲＬを入力する手間を省く手法が記載されている。
【０００３】
特許文献３は、携帯端末をテレビ受像機のリモコンとして利用し、視聴者がチャンネル変更を行ったときに、サーバから視聴中の番組の関連情報を視聴者の携帯端末へ送信する手法を記載している。
【０００４】
また、Ｗｅｂサイトや２次元バーコード等からアクセスした後で、登録したＷｅｂサイトを起点として携帯端末に情報を配信する方法が存在する。
【先行技術文献】
【特許文献】
【０００５】
【特許文献１】特開２００６−５０３７８号公報
【特許文献２】特開２００４−１９３６３９号公報
【特許文献３】特開２００３−１６９３５２号公報
【発明の概要】
【発明が解決しようとする課題】
【０００６】
本発明は、データ放送対応のテレビ受像機から、データ放送を起点として、視聴者の携帯端末へ直接に情報を送信する技術を提供することを目的とする。
【課題を解決するための手段】
【０００７】
本発明の１つの観点では、ネットワークを通じて通信可能なテレビ受像機及びサーバを備える情報送信システムにおいて、前記テレビ受像機は、テレビ番組の関連コンテンツへのアクセス情報を含むメッセージを含むデータ放送を受信する受信手段と、視聴者を特定する視聴者ＩＤの入力を受け取る視聴者ＩＤ入力手段と、前記視聴者ＩＤ入力手段により入力された視聴者ＩＤを前記サーバへ送信し、当該視聴者ＩＤに対応付けて前記サーバにより付与された携帯端末ＩＤを取得する携帯端末ＩＤ取得手段と、前記サーバにより付与されたテレビ受像機ＩＤと、前記視聴者ＩＤと、前記携帯端末ＩＤとを対応付けてテレビ受像機内の記憶部に記憶する記憶手段と、視聴者による要求操作に応じて、前記受信手段が受信したデータ放送に含まれるメッセージと、テレビ受像機ＩＤ、前記要求操作を行った視聴者に対応する視聴者ＩＤ及び携帯端末ＩＤのうちの少なくとも１つのＩＤとを含むメッセージ送信要求を前記サーバへ送信する送信要求手段と、を備え、前記サーバは、視聴者の携帯端末から視聴者ＩＤを受信し、当該視聴者ＩＤに対応付けて携帯端末ＩＤを付与する携帯端末ＩＤ付与手段と、前記テレビ受像機から視聴者ＩＤを受信し、当該視聴者ＩＤに対応付けてテレビ受像機ＩＤを付与するテレビ受像機ＩＤ付与手段と、視聴者ＩＤと、当該視聴者ＩＤに対応付けて付与された携帯端末ＩＤ及びテレビ受像機ＩＤとを記憶するデータベースと、テレビ受像機から視聴者ＩＤを受信し、前記データベースを参照して、当該視聴者ＩＤに対応する携帯端末ＩＤをテレビ受像機に送信する携帯端末ＩＤ送信手段と、テレビ受像機から前記メッセージ送信要求を受信し、当該メッセージ送信要求に含まれるメッセージを、当該メッセージ送信要求に含まれる前記少なくとも１つのＩＤに対応する携帯端末へ送信するメッセージ送信手段と、を備える。
【０００８】
上記の情報送信システムにおいて、テレビ受像機はデータ放送に対応しており、テレビ番組の関連コンテンツへのアクセス情報を含むメッセージを含むデータ放送を受信する。アクセス情報の典型的な例は、ＵＲＬやそのＵＲＬを示す２次元バーコードなどである。
【０００９】
サーバは、視聴者の携帯端末から視聴者ＩＤを受信すると、それに対する携帯端末ＩＤを決定し、データベースに記憶する。また、テレビ受像機から視聴者ＩＤを受信すると、データベースを参照して、当該視聴者ＩＤに対応する携帯端末ＩＤを取得し、テレビ受像機に送信する。
【００１０】
視聴者がテレビ受像機を操作してアクセス情報を含むメッセージの送信要求を行うと、テレビ受像機は、メッセージと、テレビ受像機ＩＤ、その視聴者の視聴者ＩＤ及び携帯端末ＩＤのうちの少なくとも１つのＩＤとをサーバへ送信する。サーバは、その１つのＩＤに対応する携帯端末に、受信したメッセージを送信する。こうして、視聴者の携帯端末に、アクセス情報を含むメッセージが送信され、表示される。よって、視聴者は、そのアクセス情報に基づいてサイトにアクセスすることにより、自らアクセス情報を携帯端末に入力する必要なく、容易に関連コンテンツを取得することができる。
【００１１】
上記の情報送信システムの一態様では、前記サーバは、前記メッセージ送信手段がメッセージの送信を完了したことを示す完了通知を、メッセージ送信要求を行ったテレビ受像機へ送信する完了通知送信手段をさらに備える。これにより、視聴者はテレビを見ていてもメッセージの送信完了を知ることができる。
【００１２】
上記の情報送信システムの他の一態様では、前記送信要求手段は、前記テレビ受像機内の記憶部に複数の視聴者についての視聴者ＩＤ及び携帯端末ＩＤが記憶されている場合、メッセージを送信すべき視聴者の選択入力を視聴者に要求し、選択された視聴者についてメッセージ送信要求を行う。これにより、１つのテレビ受像機に複数の視聴者が登録されている場合でも、メッセージの送信を要求した視聴者の携帯端末に正しくメッセージを送信することができる。
【００１３】
本発明の他の観点では、コンピュータと記憶部とを備え、ネットワークを通じてサーバと通信可能なテレビ受像機によって実行されるプログラムは、テレビ番組の関連コンテンツへのアクセス情報を含むメッセージを含むデータ放送を受信する受信手段、視聴者を特定する視聴者ＩＤの入力を受け取る視聴者ＩＤ入力手段、前記視聴者ＩＤ入力手段により入力された視聴者ＩＤを前記サーバへ送信し、当該視聴者ＩＤに対応付けて前記サーバにより付与された携帯端末ＩＤを取得する携帯端末ＩＤ取得手段、前記サーバにより付与されたテレビ受像機ＩＤと、前記視聴者ＩＤと、前記携帯端末ＩＤとを対応付けて前記記憶部に記憶する記憶手段、視聴者による要求操作に応じて、前記受信手段が受信したデータ放送に含まれるメッセージと、テレビ受像機ＩＤ、前記要求操作を行った視聴者に対応する視聴者ＩＤ及び携帯端末ＩＤのうちの少なくとも１つのＩＤとを含むメッセージ送信要求を前記サーバへ送信する送信要求手段、として前記コンピュータを機能させる。
【００１４】
本発明の他の観点では、ネットワークを通じてテレビ受像機と通信可能なサーバは、視聴者の携帯端末から視聴者ＩＤを受信し、当該視聴者ＩＤに対応付けて携帯端末ＩＤを付与する携帯端末ＩＤ付与手段と、前記テレビ受像機から視聴者ＩＤを受信し、当該視聴者ＩＤに対応付けてテレビ受像機ＩＤを付与するテレビ受像機ＩＤ付与手段と、視聴者ＩＤと、当該視聴者ＩＤに対応付けて付与された携帯端末ＩＤ及びテレビ受像機ＩＤとを記憶するデータベースと、テレビ番組の関連コンテンツへのアクセス情報を含むメッセージと、テレビ受像機ＩＤ、視聴者に対応する視聴者ＩＤ及び携帯端末ＩＤのうちの少なくとも１つのＩＤとを含むメッセージ送信要求をテレビ受像機から受信し、当該メッセージ送信要求に含まれるメッセージを、当該メッセージ送信要求に含まれる前記少なくとも１つのＩＤに対応する携帯端末へ送信するメッセージ送信手段と、を備える。
【００１５】
本発明の他の観点では、データベースとコンピュータとを備え、ネットワークを通じてテレビ受像機と通信可能なサーバによって実行されるプログラムは、視聴者の携帯端末から視聴者ＩＤを受信し、当該視聴者ＩＤに対応付けて携帯端末ＩＤを付与する携帯端末ＩＤ付与手段、前記テレビ受像機から視聴者ＩＤを受信し、当該視聴者ＩＤに対応付けてテレビ受像機ＩＤを付与するテレビ受像機ＩＤ付与手段、視聴者ＩＤと、当該視聴者ＩＤに対応付けて付与された携帯端末ＩＤ及びテレビ受像機ＩＤとを前記データベースに記憶する記憶手段、テレビ番組の関連コンテンツへのアクセス情報を含むメッセージと、テレビ受像機ＩＤ、視聴者に対応する視聴者ＩＤ及び携帯端末ＩＤのうちの少なくとも１つのＩＤとを含むメッセージ送信要求をテレビ受像機から受信し、当該メッセージ送信要求に含まれるメッセージを、当該メッセージ送信要求に含まれる前記少なくとも１つのＩＤに対応する携帯端末へ送信するメッセージ送信手段、として前記コンピュータを機能させることを特徴とするプログラム。
【００１６】
上記のサーバ、プログラムによっても、視聴者の携帯端末に、アクセス情報を含むメッセージが送信され、表示される。よって、視聴者は、そのアクセス情報に基づいてサイトにアクセスすることにより、自らアクセス情報を携帯端末に入力する必要なく、容易に関連コンテンツを取得することができる。
【図面の簡単な説明】
【００１７】
【図１】本発明に係る情報送信システムの全体構成を示すブロック図である。
【図２】テレビ受像機の構成を概略的に示すブロック図である。
【図３】サーバ及びテレビ受像機の記憶情報の例を示す。
【図４】メッセージ送信処理のフローチャートである。
【図５】テレビ受像機の表示画面例である。
【図６】携帯端末の表示画面例である。
【図７】テレビ受信機の表示画面例である。
【発明を実施するための形態】
【００１８】
以下、図面を参照して本発明の好適な実施の形態について説明する。
【００１９】
[システム構成]
図１は、本発明に係る情報送信システムの構成を示す。テレビ受像機１０とサーバ２０とは、インターネットなどのネットワーク２を通じて相互に通信可能になっている。
【００２０】
テレビ受像機１０は、視聴者の家庭に設置され、テレビ放送局１からの放送波を受信して表示画面にテレビ番組を表示する。テレビ受像機１０はデータ放送対応型であり、テレビ放送局１の地上デジタル放送設備からデータ放送を受信する。テレビ受像機１０は、付属のテレビリモコン１１により操作可能である。
【００２１】
本実施形態では、視聴者の携帯端末へ送信されるメッセージがデータ放送に含められて送信される。ここで「メッセージ」は、放送中のテレビ番組に関連して提供される情報、コンテンツ、アプリケーションなど（以下、「関連コンテンツ」と呼ぶ。）をサーバから取得するためにアクセスすべきアクセス先を示すＵＲＬ、又は、そのＵＲＬを示す２次元バーコードなど（以下、「アクセス情報」と呼ぶ）を含む。従来より、アクセス情報としてのＵＲＬを番組放送中にテレビ画面に表示するサービスは行われているが、視聴者は表示されたアクセス情報を見て自らそのＵＲＬなどを携帯端末などに入力して関連コンテンツをダウンロードする必要があった。本実施形態では、このアクセス情報を含むメッセージを視聴者の携帯端末３０へ直接送信するものである。
【００２２】
サーバ２０は、携帯端末３０と無線通信可能である。本実施形態では、サーバ２０は、テレビ受像機１０からネットワーク２を介して、メッセージ送信要求を受け取り、視聴者の携帯端末３０へメッセージを送信する。サーバ２０はデータベース（ＤＢ）２１に接続されている。
【００２３】
図２は、テレビ受像機１０の構成を示す。テレビ受像機１０は、ブラウザ１２と、メモリ１３と、表示部１４とを備える。ブラウザ１２は、実際にはＣＰＵなどのコンピュータが予め用意されたブラウザソフトウェアを実行することにより実現される。メモリ１３は不揮発性のメモリであり、視聴者に関連する情報を記憶する。表示部１４は液晶パネル、プラズマパネルなどの表示装置である。
【００２４】
テレビ受像機１０は、テレビ放送局１からデータ放送ファイル５０を受信する。データ放送ファイル５０は、前述のメッセージを含んでおり、例えばＢＭＬ（Ｂｒｏａｄｃａｓｔ  Ｍａｒｋｕｐ  Ｌａｎｇｕａｇｅ）により記述されている。ブラウザ１２は、データファイル中のＢＭＬ記述に従ってデータ放送のコンテンツを表示部１４に表示する。よって、データ放送ファイル５０に含まれるメッセージは、ブラウザ１２により表示部１４に表示される。
【００２５】
テレビ受像機１０は、視聴者による視聴者ＩＤの入力を受け取る。視聴者ＩＤとは、視聴者を特定するＩＤ（識別情報）である。具体的には、視聴者は、テレビリモコン１１を操作することにより、自分の視聴者ＩＤやパスワードなどをテレビ受像機１０に入力する。テレビ受像機１０は、入力された視聴者ＩＤをメモリ１３に記憶する。
【００２６】
[記憶情報]
次に、サーバ２０及びテレビ受像機１０の記憶情報について説明する。
【００２７】
サーバ２０はデータベース２１に視聴者に関連する情報を記憶する。サーバ２０の記憶情報の例を図３（ａ）に示す。サーバ２０には、テレビ受像機毎に、視聴者ＩＤ、携帯端末ＩＤなどが記憶される。テレビＩＤは、テレビ受像機１０毎にサーバ２０が付与した識別情報である。携帯端末ＩＤは、視聴者ＩＤに対応付けて、視聴者の携帯端末毎にサーバ２０が付与した識別情報である。
【００２８】
テレビ受像機１０の記憶情報の例を図３（ｂ）に示す。テレビ受像機１０のメモリ１３は、自身のテレビＩＤと、それに対応する視聴者ＩＤと、携帯端末ＩＤとを記憶する。なお、テレビＩＤと視聴者ＩＤと携帯端末ＩＤは、図３（ａ）に示すものと同じである。つまり、サーバ２０に記憶されている情報のうち、１つのテレビ受像機１０に対応する部分の情報のみがそのテレビ受像機１０のメモリ１３に記憶される。図３（ｂ）に示すように、１つのテレビ受像機１０に対しては、複数の視聴者を登録することができる。図３（ｂ）は、１つのテレビ受像機１０に３人の視聴者が登録されている例である。もちろん、１つのテレビ受像機１０を１人の視聴者のみが使用する場合には、１つの視聴者ＩＤ及び携帯端末ＩＤのみがメモリ１３に記憶される。
【００２９】
次に、サーバ２０及びテレビ受像機１０に情報が記憶される手順について説明する。
【００３０】
まず、視聴者は、サーバ２０に対して携帯端末３０の登録を行う。具体的には、視聴者は、携帯端末３０を操作してサーバ２０にアクセスし、自分の視聴者ＩＤなどを入力して登録を要求する。これに対し、サーバ２０は、端末装置３０から送信された視聴者ＩＤなどをデータベース２１に記憶する。また、その視聴者ＩＤに対して一意に携帯端末ＩＤを付与し、その携帯端末ＩＤをデータベース２１に記憶するとともに、携帯端末３０へ送信する。これにより、データベース２１には、ある視聴者に対して、視聴者ＩＤ及び携帯端末ＩＤが対応付けて記憶される。
【００３１】
また、サーバ２０は、視聴者がテレビ受像機１０に対して入力した視聴者ＩＤをテレビ受像機１０から受信すると、当該テレビ受像機１０に対してテレビＩＤを付与し、そのテレビＩＤを視聴者ＩＤと対応付けてデータベース２１に記憶する。これにより、図３（ａ）に示すように、データベース２１には、テレビＩＤ、視聴者ＩＤ及び携帯端末ＩＤが対応付けられた状態で記憶される。
【００３２】
また、サーバ２０は、データベース２１を参照して、テレビ受信機１０から送信された視聴者ＩＤに対応する携帯端末ＩＤを取得し、テレビＩＤと携帯端末ＩＤとをテレビ受像機１０に送信する。テレビ受像機１０は、テレビＩＤと携帯端末ＩＤとを受信し、視聴者ＩＤと対応付けてメモリ１３に記憶する。これにより、テレビ受像機１０のメモリ１３には、図３（ｂ）に示すようにテレビＩＤと視聴者ＩＤと携帯端末ＩＤとが記憶される。
【００３３】
[メッセージ送信処理]
次に、本実施形態の情報送信システムによるメッセージ送信処理について説明する。図４は、メッセージ送信処理のフローチャートである。
【００３４】
まず、視聴者は、携帯端末３０を操作してサーバに対する登録を行う。具体的には、視聴者が携帯端末３０を操作してサーバ２０にアクセスし、視聴者ＩＤなどの必要な情報を送信すると（ステップＳ１０）、サーバ２０は前述のように携帯端末ＩＤを決定してデータベース２１に記憶するとともに、携帯端末３０へ携帯端末ＩＤを送信する（ステップＳ１１）。
【００３５】
一方、テレビ放送局１はデータ放送を行っている（ステップＳ１２）。データ放送により送信されるデータ放送ファイル５０には、前述のように、関連コンテンツへのアクセス情報を含むメッセージが含まれている。
【００３６】
視聴者は、テレビ受像機１０に対しても登録を行う。具体的には、視聴者はテレビリモコン１１を操作するなどして視聴者登録モードを選択し、視聴者ＩＤやパスワードなどを入力する（ステップＳ１３）。視聴者登録モードにおけるテレビ受像機１０の表示画面例を図５（ａ）に示す。視聴者登録モードでは、テレビ受像機１０の表示部１４には、放送されている番組の映像が表示されるとともに、ＩＤ入力欄７２、パスワード入力欄７３、決定ボタン７４などが表示される。視聴者は、テレビリモコン１１を操作して、ＩＤ入力欄７２に自らの視聴者ＩＤを入力し、パスワード入力欄７３にパスワードを入力し、決定ボタン７４を押す。これにより、テレビ受像機１０は視聴者ＩＤ及びパスワードを取得する。
【００３７】
テレビ受像機１０は、視聴者ＩＤなどをサーバ２０へ送信する（ステップＳ１４）。これに対し、サーバ２０は、前述のように、まずテレビＩＤを決定し、視聴者ＩＤと対応付けてデータベース２１に記憶する。次に、サーバ２０は、データベース２１を参照して、受信した視聴者ＩＤに対応する携帯端末ＩＤを取得し、テレビＩＤとともにテレビ受像機１０へ送信する（ステップＳ１５）。テレビ受像機１０は、テレビＩＤと携帯端末ＩＤとを受信し、図３（ｂ）に示すようにメモリ１３に記憶する。
【００３８】
放送されているテレビ番組に関連コンテンツが用意されている場合、図５（ｂ）に例示するように、その旨がテレビ受像機１０に表示される。図５（ｂ）の例では、関連コンテンツを取得するためのＵＲＬなどを含むメッセージを視聴者の携帯端末へ送信できる旨の説明文７５と、送信ボタン７６とが表示される。なお、「視聴者Ａ」は、テレビ受像機１０のメモリ１３に視聴者ＩＤが登録されている視聴者である。
【００３９】
自分の携帯端末３０へメッセージを送信したい視聴者は、テレビリモコン１１を操作して送信ボタン７６を押すことにより、メッセージの送信要求を行う（ステップＳ１６）。これに応答し、テレビ受像機１０は、要求を行った視聴者Ａの携帯端末ＩＤ及びテレビ受像機１０のテレビＩＤをメモリ１３から取得し、データ放送ファイル５０に含まれているメッセージ自体とともにサーバ２０へ送信してメッセージの送信を要求する（ステップＳ１７）。なお、テレビＩＤの送信は、サーバ２０に対する初回のメッセージ送信要求時のみとしてもよい。
【００４０】
サーバ２０は、これを受信し、受信したメッセージをその視聴者Ａの携帯端末３０に送信する（ステップＳ１８）。この送信は、好適には携帯端末ＩＤに基づいてＰＵＳＨ配信により行われる。なお、携帯端末の端末アドレスに対するメール配信を利用することもできる。
【００４１】
携帯端末３０は、受信したメッセージを表示する（ステップＳ１９）。携帯端末３０におけるメッセージの表示例を図６に示す。この例では、テレビ番組に関連する関連コンテンツとしてアプリ（アプリケーション）が用意されており、メッセージにはそのアプリケーションを取得するためのサイトのＵＲＬが含まれている。よって、視聴者は、携帯端末３０を操作してこのサイトにアクセスすることにより、容易にアプリケーションをダウンロードすることができる。
【００４２】
サーバ２０は、携帯端末３０へメッセージを送信すると、送信を完了した旨の通知をテレビ受像機１０へ送信する（ステップＳ２０）。テレビ受像機１０は、これに応答して、表示部１４にメッセージの送信が完了した旨を表示する（ステップＳ２１）。こうして、メッセージ送信処理は終了する。
【００４３】
なお、１つのテレビ受像機１０に複数の視聴者が登録されている場合、ステップＳ１６で視聴者がメッセージの送信要求を行うときのテレビ受像機１０の表示画面は、例えば図７に示すように複数の視聴者のうちのいずれかの選択を含むものとなる。テレビ受像機１０は、送信ボタン７８、７９のいずれが押されたかを判定し、対応する視聴者の携帯端末ＩＤをメモリ１３から取得して、ステップＳ１７でメッセージともにサーバ２０へ送信する。これにより、テレビ受像機１０に複数の視聴者が登録されている場合でも、選択された視聴者の携帯端末３０へ正しくメッセージが送信される。なお、図７の表示例は単なる一例であり、例えば１つの送信ボタンを視聴者が押した後で、複数の視聴者のうちの１人を選択するためのボタンを表示して視聴者の選択を促すようにしてもよい。
【００４４】
[変形例１]
上記のメッセージ送信処理では、ステップＳ１６で視聴者がメッセージの送信要求を行うと、テレビ受信機１０は、メッセージとともにその視聴者の携帯端末ＩＤとテレビＩＤとをサーバ２０へ送信している。その代わりに、テレビ受信機１０は、メッセージとともに、送信要求を行った視聴者の視聴者ＩＤ又は携帯端末ＩＤのいずれかのみをサーバ２０へ送信してもよい。その場合、サーバ２０は、図３（ａ）に示すデータベース２１を参照し、受信した視聴者ＩＤ又は携帯端末ＩＤに基づいてその視聴者の携帯端末３０にメッセージを送信すればよい。なお、この場合には、テレビ受信機１０のメモリ１３には携帯端末ＩＤが記憶されていなくてもよい。
【００４５】
[変形例２]
上記のメッセージ送信処理では、ステップＳ１６で視聴者がメッセージの送信要求を行うと、テレビ受信機１０は、メッセージとともにその視聴者の携帯端末ＩＤとテレビＩＤとをサーバ２０へ送信している。その代わりに、テレビ受信機１０は、メッセージとともに、視聴者ＩＤとそのテレビ受信機１０のテレビＩＤとをサーバ２０へ送信してもよい。その場合、サーバ２０は、図３（ａ）に示すデータベース２１を参照し、受信したテレビＩＤ及び視聴者ＩＤに基づいてその視聴者の携帯端末ＩＤを特定し、携帯端末３０にメッセージを送信すればよい。なお、この場合には、テレビ受信機１０のメモリ１３には携帯端末ＩＤが記憶されていなくてもよい。
【００４６】
[変形例３]
また、１つのテレビ受像機１０に対して１人の視聴者のみが登録されている場合には、テレビ受像機１０はステップＳ１７において、メッセージとテレビＩＤのみをサーバ２０へ送信すればよい。サーバ２０は、同様にデータベース２１を参照して、受信したテレビＩＤに対応する視聴者の携帯端末３０へメッセージを送信することができる。
【００４７】
[変形例４]
上記の例では、サーバ２０がテレビ受像機１０に対してテレビＩＤを付与しているが、その代わりに、テレビ受像機側の固有の番号（例えば製品番号など）をテレビＩＤとして利用することとしてもよい。その場合、サーバ２０はテレビ受像機１０からそのテレビＩＤを受信し、データベース２１へ記憶する。
【００４８】
[効果]
以上のように、本実施形態では、視聴者がテレビ受像機１０を操作してメッセージの送信要求を行うと、サーバ２０がそのメッセージを当該視聴者の携帯端末３０へ送信する。よって、視聴者は、テレビ受像機１０に表示されたＵＲＬなどのアクセス情報を自ら携帯端末に入力する必要がなくなり、アプリケーションなどの関連コンテンツを容易に取得することができる。
【００４９】
また本実施形態では、データ放送を利用することにより、送信タイミングを秒単位で制御できるので、テレビ番組の進行、具体的には１５秒のＣＭや生放送に対して正確にタイミングを合わせることができる。この点、通常のネットワークを利用した手法では、アクセスの集中などによるデータ送信の遅延の問題が生じうるが、データ放送を利用することにより、そのような問題は回避できる。また、関連コンテンツに関する情報をテレビ画面上にオーバーラップ表示できるため、視聴者の高い認知度を得ることができる。また、視聴者はテレビリモコンを操作するだけで簡単にメッセージの送信要求を行うことができる。
【符号の説明】
【００５０】
１  テレビ放送局
２  ネットワーク
１０  テレビ受像機
１１  テレビリモコン
２０  サーバ
２１  データベース
３０  携帯端末
【図１】
0005856445.tif 000002
【図２】
0005856445.tif 000003
【図３】
0005856445.tif 000004
【図４】
0005856445.tif 000005
【図５】
0005856445.tif 000006
【図６】
0005856445.tif 000007
【図７】
0005856445.tif 000008